(57)【特許請求の範囲】
【請求項１】
Ｘ線撮影に関する制御情報に従ってＸ線撮影を行い、このＸ線撮影により取得したＸ線画像データを演算処理し記憶するシステム本体を有するＸ線診断装置において、
前記システム本体に有し、少なくとも前記Ｘ線画像データを記憶する複数のディスクから成り、前記複数のディスクのうち１つの前記ディスクが壊れても他の前記各ディスクから前記Ｘ線画像データの再生が可能であるディスクアレイ装置を有する記憶部と、
前記システム本体内における前記各ディスクを所定の期間毎に巡回して前記ディスクに発生する障害を事前に予知する障害事前予知部と、
を具備し、
前記障害事前予知部は、前記システム本体内における前記各ディスクを所定の期間毎に巡回して前記ディスクに発生する障害として少なくとも前記Ｘ線画像データの記憶時における応答時間の遅れの情報をチェックし、このチェックの結果を受けて、前記システム本体内の障害予知情報を外部の障害情報収集センタに通知する、
ことを特徴とするＸ線診断装置。
【請求項２】
前記障害事前予知部は、前記障害が前記修復不可能であれば、事前に、前記ディスクの前記障害予知情報を外部の前記障害情報収集センタに通知することを特徴とする請求項１記載のＸ線診断装置。
【請求項３】
前記障害事前予知部は、前記各ディスクを巡回して、前記障害を自動的に修復した回数の情報、又は前記各ディスクに発生するエラーの履歴情報をチェックすることを特徴とする請求項２記載のＸ線診断装置。
【請求項４】
前記システム本体は、当該システム本体内に電力を供給するバッテリを有し、
前記障害事前予知部は、前記バッテリの電圧値を所定の期間毎に巡回してチェックし、前記バッテリ電圧値が異常であれば、前記障害予知情報として事前に外部の前記障害情報収集センタに通知する、
ことを特徴とする請求項１記載のＸ線診断装置。
【請求項５】
前記システム本体は、前記Ｘ線撮影に関する前記制御情報を記憶する不揮発性メモリを有し、
前記バッテリは、前記不揮発性メモリに電力を供給する、
ことを特徴とする請求項４記載のＸ線診断装置。
【請求項６】
前記障害事前予知部は、前記障害予知情報の通知と共に、前記ディスクに発生した前記障害が修復不可能である場合、前記障害が発生した箇所に関するメンテナンス情報を前記障害情報収集センタに通知することを特徴とする請求項１記載のＸ線診断装置。
【請求項７】
前記障害事前予知部は、前記メンテナンス情報として前記障害を予知した前記箇所をメンテナンスするスケジュール、当該Ｘ線診断装置のユーザに対するメッセージ、前記障害発生の発生率、前記メンテナンスの緊急度、又は前記メンテナンスに必要な部品のオーダ情報のうち少なくとも１つを含むことを特徴とする請求項６記載のＸ線診断装置。
【発明の詳細な説明】
【技術分野】
【０００１】
本発明は、例えばＸ線画像データを演算処理して記憶するハードウエアにおける故障を検知するＸ線診断装置に関する。
【背景技術】
【０００２】
例えば循環器用Ｘ線システム等のＸ線診断装置は、患者等の被検体をＸ線撮影し、このＸ線撮影により取得したＸ線画像データを演算処理し、ディスク等の記憶装置に記憶する。この記憶装置は、例えば複数のディスクから成るディスクアレイ装置（ＲＡＩＤ）であり、例えばＸ線撮影により取得した重要なＸ線画像データ等を記憶する。又、Ｘ線診断装置は、Ｘ線撮影に関する制御を行う制御基板等から成るハードウエアを備えている。このハードウエアは、Ｘ線撮影に関する制御情報を記憶する不揮発性メモリを備える。この不揮発性メモリは、例えばバッテリ（以下、不揮発性メモリ用バッテリと称する）から電力の供給を受けている。
【０００３】
このようなＸ線診断装置では、稼動中に、ディスクアレイ装置における複数のディスクに修復不可能な障害が発生したり、不揮発性メモリ用バッテリの容量が無くなるなどの障害が発生することがある。ディスクアレイ装置における複数のディスクに修復不可能な障害が発生すると、ディスクアレイ装置の冗長性が無くなり、ディスクアレイ装置が継続して動作ができなくなる。又、不揮発性メモリ用バッテリの容量が無くなると、不揮発性メモリに記憶されているＸ線撮影に関する制御情報が消去されてしまう場合がある。
【０００４】
Ｘ線診断装置には、かかる障害発生に対する対策が行われている。例えばＸ線診断装置は、ディスクアレイ装置に障害が発生したり、不揮発性メモリ用バッテリの容量が無くなるなどの障害が発生すると、この障害発生の後、当該Ｘ線診断装置自体の稼動を停止し、この障害発生の旨を例えばサービスセンタに通知する。
【０００５】
サービスセンタは、Ｘ線診断装置を使用するユーザに対してサービス等を提供するメーカ側で設置する。サービスセンタでは、障害が発生した部品等をパーツセンタにオーダし、修理を行うサービスマン等の手配を行う。この後、サービスマンは、障害の発生したＸ線診断装置が設置されている現地に赴き、障害の発生した部品等の交換等の修理作業を行う。これにより、障害の発生したＸ線診断装置は、稼動を再開できる。
【０００６】
しかしながら、障害発生の後に、障害発生の旨を例えばサービスセンタに通知するために、障害の修理作業が終了するまで、Ｘ線診断装置は、稼動を停止しなければならない。このため、Ｘ線診断装置の稼動停止期間が長くなる可能性がある。
【発明の開示】
【発明が解決しようとする課題】
【０００７】
本発明の目的は、障害の発生を未然に防止して稼動停止期間を短縮できるＸ線診断装置を提供することにある。
【課題を解決するための手段】
【０００８】
本発明の主要な局面に係るＸ線診断装置は、Ｘ線撮影に関する制御情報に従ってＸ線撮影を行い、このＸ線撮影により取得したＸ線画像データを演算処理し記憶するシステム本体を有するＸ線診断装置において、システム本体に有し、少なくともＸ線画像データを記憶する複数のディスクから成り、複数のディスクのうち１つのディスクが壊れても他の各ディスクからＸ線画像データの再生が可能であるディスクアレイ装置を有する記憶部と、システム本体内における各ディスクを所定の期間毎に巡回してディスクに発生する障害を事前に予知する障害事前予知部とを具備し、障害事前予知部は、システム本体内における各ディスクを所定の期間毎に巡回してディスクに発生する障害として少なくともＸ線画像データの記憶時における応答時間の遅れの情報をチェックし、このチェックの結果を受けて、システム本体内の障害予知情報を外部の障害情報収集センタに通知する。
【発明の効果】
【０００９】
本発明によれば、ディスクアレイ装置に本障害が発生する前に、各ディスクの障害予知情報を事前にサービスセンタに通知でき、障害の発生を未然に防止して稼動停止期間を短縮できるＸ線診断装置を提供できる。
【発明を実施するための最良の形態】
【００１０】
以下、本発明の一実施の形態について図面を参照して説明する。  
図１はＸ線診断装置の構成図を示す。支持台１上には、寝台２が設けられている。この寝台２上には、患者等の被検体３が載置される。機構制御部４には、Ｃアーム５が回転可能に設けられている。この機構制御部４は、Ｃアーム５を回転制御する。このＣアーム５の各端部には、それぞれＸ線発生部６とＸ線検出部７とが設けられている。これにより、Ｃアーム５の回転によりＸ線発生部６とＸ線検出部７とは、被検体３を中心に回転移動する。高電圧発生部８は、高電圧を発生してＸ線発生部６に供給する。高電圧制御部９は、Ｘ線条件に従って高電圧発生部８により発生する高電圧値及び電流値を制御する。Ｘ線発生部６は、高電圧発生部８からの高電圧の供給によりＸ線を発生する。Ｘ線検出部７は、被検体３を透過したＸ線を検出し、Ｘ線の検出量に応じた検出信号を出力する。
【００１１】
システム本体１０は、Ｘ線撮影に関する制御情報に従って機構制御部４及び高電圧制御部９などを制御してＸ線撮影を行い、このＸ線撮影時にＸ線検出部７から出力される検出信号を入力し、この検出信号を演算処理してＸ線画像データを取得して記憶する。このシステム本体１０は、画像演算・記憶部１１とシステム制御部１２とを有する。このシステム本体１０には、Ｘ線画像用表示部１３とユーザインタフェース用表示部１４とハンドスイッチ１５とが接続されている。ハンドスイッチ１５は、スイッチホルダ１６に保持されている。又、システム本体１０は、ネットワーク１７を介して外部の障害情報収集センタとしてのサービスセンタ１８のサービス端末１９に接続されている。
【００１２】
画像演算・記憶部１１は、図２に示すようなディスクアレイ装置２０を備える。画像演算・記憶部１１は、Ｘ線検出部７から出力される検出信号を入力し、この検出信号を演算処理してＸ線画像データを取得してディスクアレイ装置２０に記憶する。  
このディスクアレイ装置２０は、複数のディスク２１−１〜２１−ｎから成る。このディスクアレイ装置２０は、例えばＸ線画像データをストライピングという方法で複数のディスク２１−１〜２１−ｎに書き込む。これにより、各ディスク２１−１〜２１−ｎのうち例えば１つのディスク２１−１が壊れても他の各ディスク２１−２〜２１−ｎからＸ線画像データの再生が可能になる。
【００１３】
このディスクアレイ装置２０は、第１の障害事前予知部２２を有する。この第１の障害事前予知部２２は、一定の期間毎に各ディスク２１−２〜２１−ｎを巡回して障害の発生をチェックする。この第１の障害事前予知部２２は、各ディスク２１−２〜２１−ｎを巡回して、例えば各ディスク２１−２〜２１−ｎ内へのＸ線画像データの記憶時における応答時間の遅れの情報、障害を自動的に修復した回数の情報、又は各ディスク２１−２〜２１−ｎに発生するエラーの履歴情報のうち少なくとも1つの情報をチェックする。この第１の障害事前予知部２２は、各ディスク２１−２〜２１−ｎを巡回して障害の発生をチェックし、このチェック結果を受けて各ディスク２１−２〜２１−ｎに発生した障害が修復可能であるか否かを判断し、修復不可能であれば、各ディスク２１−２〜２１−ｎの障害予知情報を事前にサービスセンタ１８のサービス端末１９に通知する。
【００１４】
システム制御部１２は、Ｘ線撮影に関する制御情報に従って機構制御部４及び高電圧制御部９などを制御する。このシステム制御部１２は、図３に示すようにＸ線撮影に関する制御を行う制御基板２３を備える。この制御基板２３には、Ｘ線撮影に関する制御情報を記憶する不揮発性メモリ２４が実装されている。Ｘ線撮影に関する制御情報は、例えばシステム本体１０内の構成情報と、高電圧制御部９の制御情報と、機構制御部４の制御情報と、Ｘ線検出部７の構成情報とを有する。この不揮発性メモリ２４は、不揮発性メモリ用バッテリ２５から電力の供給を受ける。
【００１５】
システム制御部１２は、第２の障害事前予知部２６を有する。この第２の障害事前予知部２６は、不揮発性メモリ用バッテリ２５の電圧値を所定の期間毎に巡回してチェックし、バッテリ電圧値が異常であれば、障害予知情報として事前にサービスセンタ１８のサービス端末１９に通知する。
【００１６】
第１及び第２の障害事前予知部２２、２６は、それぞれメンテナンス情報として障害発生を予知した箇所、例えばディスクアレイ装置２０又は不揮発性メモリ用バッテリ２５をメンテナンスするスケジュール、Ｘ線診断装置のユーザに対するメッセージ、例えばディスクアレイ装置２０又は不揮発性メモリ用バッテリ２５に対する障害発生の発生率、例えばディスクアレイ装置２０又は不揮発性メモリ用バッテリ２５のメンテナンスの緊急度、例えばディスクアレイ装置２０又は不揮発性メモリ用バッテリ２５のメンテナンスに必要な部品のオーダ情報のうち少なくとも１つの情報をサービスセンタ１８のサービス端末１９に通知する。又、第１及び第２の障害事前予知部２２、２６は、メンテナンス情報としてディスクアレイ装置２０の部品を交換するに要する料金又は不揮発性メモリ用バッテリ２５を交換する料金が有償又は無償であるかの情報もサービスセンタ１８のサービス端末１９に通知する。
【００１７】
サービスセンタ１８は、本Ｘ線診断装置が設置されている場所とは異なる場所に設置されている。本Ｘ線診断装置は、例えば病院等の施設に設置される。サービスセンタ１８は、病院等が施設されている敷地とは別の敷地に設置される。サービス端末１９は、ＣＰＵから成る処理装置２７と、キーボード等の操作部２８と、ディスプレイ２９とを有する。このサービス端末１９は、Ｘ線診断装置の第１又は第２の障害事前予知部２２、２６から通知されるディスクアレイ装置２０における各ディスク２１−２〜２１−ｎの事前の障害予知情報、又はバッテリ電圧値が異常である事前の障害予知情報を受信すると、これら事前の障害予知情報をディスプレイ２９に表示する。なお、サービスセンタ１８のサービス端末１９には、各病院等の施設に設置されている複数のＸ線診断装置からの事前の障害予知情報を受信する。
【００１８】
次に、上記の如く構成された装置における障害発生の事前予知の動作について説明する。  
システム制御部１２は、Ｘ線撮影に関する制御情報に従って機構制御部４及び高電圧制御部９などを制御する。これにより、機構制御部４は、Ｃアーム５を回転制御する。このＣアーム５の回転によりＸ線発生部６とＸ線検出部７とは、被検体３を中心に回転移動する。高電圧制御部９は、Ｘ線条件に従って高電圧発生部８により発生する高電圧値及び電流値を制御する。高電圧発生部８は、高電圧を発生してＸ線発生部６に供給する。このＸ線発生部６は、高電圧発生部８からの高電圧の供給によりＸ線を発生する。このＸ線は、被検体３を透過してＸ線検出部７に入射する。このＸ線検出部７は、被検体３を透過したＸ線を検出し、Ｘ線の検出量に応じた検出信号を出力する。
【００１９】
画像演算・記憶部１１は、Ｘ線検出部７から出力される検出信号を入力し、この検出信号を演算処理してＸ線画像データを取得してディスクアレイ装置２０に記憶する。このディスクアレイ装置２０に記憶されたＸ線画像データは、システム制御部１２によってＸ線画像用表示部１３に表示される。
【００２０】
このようなＸ線撮影の稼動中、第１の障害事前予知部２２は、図４に示す第１の障害事前予知フローチャートに従ってディスクアレイ装置２０に発生する障害の事前予知を行う。第１の障害事前予知部２２は、ステップ＃１において、一定の期間毎に、図２に示すように各ディスク２１−２〜２１−ｎを巡回して障害の発生をチェックする。このチェックは、例えば各ディスク２１−２〜２１−ｎ内へのＸ線画像データの記憶時における応答時間の遅れの情報、障害を自動的に修復した回数の情報、又は各ディスク２１−２〜２１−ｎに発生するエラーの履歴情報のうち少なくとも1つの情報をチェックする。なお、Ｘ線画像データの記憶時における応答時間の遅れは、例えば各ディスク２１−２〜２１−ｎに付いた傷等の影響による。
【００２１】
次に、第１の障害事前予知部２２は、ステップ＃２において、各ディスク２１−２〜２１−ｎを巡回して障害の発生のチェック結果を受け、各ディスク２１−２〜２１−ｎに発生した障害が自動修復可能であるか否かを判断する。ここで、応答時間の遅れが許容時間内であり、又自動的に修復した回数が許容回数内であれば、ディスクアレイ装置２０の各ディスク２１−２〜２１−ｎ個体、及びディスクアレイ装置２０内のパリティドライブによる即時訂正する自動修復が可能である。この場合、第１の障害事前予知部２２は、各ディスク２１−２〜２１−ｎに発生した障害が自動修復可能であると判断し、ステップ＃１に戻り、一定の期間毎に各ディスク２１−２〜２１−ｎを巡回して障害の発生をチェックする。なお、ディスクアレイ装置２０は、各ディスク２１−２〜２１−ｎ個体、及びディスクアレイ装置２０内のパリティドライブによる即時訂正する自動修復を行う。
【００２２】
一方、応答時間の遅れが許容時間よりも長くなった場合、自動的に修復した回数が許容回数以上となった場合、又はディスクアレイ装置２０内のパリティドライブによる即時訂正する回数が増加して許容訂正回数以上になった場合の少なくとも１つの場合であれば、ディスクアレイ装置２０の性能の劣化、或いはディスクアレイ装置２０の冗長性が無くなり、ディスクアレイ装置２０が継続して動作ができなくなるような本障害が発生する場合がある。このため、第１の障害事前予知部２２は、ステップ＃２において、各ディスク２１−２〜２１−ｎに発生した障害が自動修復不可能であると判断する。
【００２３】
この判断の結果、第１の障害事前予知部２２は、ステップ＃３に移り、ディスクアレイ装置２０に本障害が発生する前に、各ディスク２１−２〜２１−ｎの障害予知情報を事前にサービスセンタ１８のサービス端末１９に通知する。  
これと共に、第１の障害事前予知部２２は、ステップ＃４において、ユーザ情報からディスクアレイ装置２０のメンテナンスに必要な部品の交換までに必要なメンテナンス情報をサービスセンタ１８のサービス端末１９に通知する。例えば、第１の障害事前予知部２２は、メンテナンス情報として障害発生を予知した箇所、ここではディスクアレイ装置２０をメンテナンスするスケジュール、Ｘ線診断装置のユーザに対するメッセージ、ディスクアレイ装置２０に対する障害発生の発生率、ディスクアレイ装置２０のメンテナンスの緊急度、ディスクアレイ装置２０のメンテナンスに必要な部品のオーダ情報のうち少なくとも１つの情報をサービスセンタ１８のサービス端末１９に通知する。
【００２４】
このうちメンテナンスするスケジュールを決定する場合、保守を行うサービスマンのアサインを機能させてサービスマンの保守可能な日時を検索し、かつ病院情報システム（Ｈospital Ｉnformation Ｓystem：ＨＩＳ）及び放射線部門情報管理システム（Ｒadiology Ｉnformation Ｓystem：ＲＩＳ）から本Ｘ線診断装置の稼動しない日時を検索し、これら日時からメンテナンスするスケジュールを決定する。なお、本Ｘ線診断装置は、例えば病院内のローカルエリアネットワーク（ＬＡＮ）を介してＨＩＳ又はＲＩＳに接続されている。又、第１の障害事前予知部２２は、メンテナンス情報としてディスクアレイ装置２０の部品を交換するに要する料金が有償又は無償であるかの情報もサービスセンタ１８のサービス端末１９に通知する。有償又は無償は、例えば本Ｘ線診断装置の保証有効期限等に基づいて判断される。
【００２５】
サービス端末１９は、Ｘ線診断装置の第１の障害事前予知部２２から通知されるディスクアレイ装置２０における各ディスク２１−２〜２１−ｎの事前の障害予知情報を受信すると、この事前の障害予知情報をディスプレイ２９に表示する。このサービス端末１９は、ステップ＃５において、各ディスク２１−２〜２１−ｎの事前の障害予知情報に基づいてディスクアレイ装置２０における交換部品をパーツセンタにオーダする。この後、ステップ＃６において、スケジュールされた保守の日時に、ディスクアレイ装置２０における部品がサービスマンによって交換される。
【００２６】
この結果、ディスクアレイ装置２０の性能の劣化、或いはディスクアレイ装置２０の冗長性が無くなり、ディスクアレイ装置２０が継続して動作ができなくなるような本障害が発生する前に、事前にディスクアレイ装置２０における部品が交換される。  
なお、本Ｘ線診断装置は、ステップ＃１〜＃５における一定の期間毎に各ディスク２１−２〜２１−ｎを巡回して障害の発生をチェックし、交換部品をパーツセンタにオーダするまでの期間、Ｘ線撮影の稼動を継続している。
【００２７】
これと共にＸ線撮影の稼動中、第２の障害事前予知部２６は、図５に示す第２の障害事前予知フローチャートに従って不揮発性メモリ用バッテリ２５の電圧値の低下による障害の事前予知を行う。すなわち、第２の障害事前予知部２６は、ステップ＃１０において、不揮発性メモリ用バッテリ２５の電圧値を所定の期間毎に巡回してチェックする。このチェックは、不揮発性メモリ用バッテリ２５の電圧値が例えば予め設定された仕様電圧値よりも所定電圧だけ高いチェック電圧値まで下降したか否かを監視する。不揮発性メモリ用バッテリ２５の電圧値が例えば予め設定された仕様電圧値以下に下降すると、不揮発性メモリ２４に対するＸ線撮影に関する制御情報、例えばシステム本体１０内の構成情報、高電圧制御部９の制御情報、機構制御部４の制御情報、Ｘ線検出部７の構成情報等の記憶及び読み出しができなくなる。
【００２８】
従って、第２の障害事前予知部２６は、ステップ＃１１において、不揮発性メモリ用バッテリ２５の電圧値のチェックの結果、不揮発性メモリ用バッテリ２５の電圧値が仕様電圧値よりも所定電圧だけ高いチェック電圧値まで下降していなければ、正常と判断し、ステップ＃１０に戻り、不揮発性メモリ用バッテリ２５の電圧値を所定の期間毎に巡回してチェックする。
【００２９】
一方、不揮発性メモリ用バッテリ２５の電圧値のチェックの結果、不揮発性メモリ用バッテリ２５の電圧値が仕様電圧値よりも所定電圧だけ高いチェック電圧値まで下降していると、第２の障害事前予知部２６は、ステップ＃１１において、不揮発性メモリ用バッテリ２５の電圧値が異常であると判断し、ステップ＃１２に移って障害予知情報として不揮発性メモリ用バッテリ２５の交換の必要のある制御基板２３の情報を事前にサービスセンタ１８のサービス端末１９に通知する。
【００３０】
サービス端末１９は、Ｘ線診断装置の第２の障害事前予知部２６から通知される不揮発性メモリ用バッテリ２５の電圧値の異常の事前の障害予知情報を受信すると、この事前の障害予知情報をディスプレイ２９に表示する。このサービス端末１９は、不揮発性メモリ用バッテリ２５の電圧値の異常の事前の障害予知情報に基づいて不揮発性メモリ用バッテリ２５の交換の必要のある制御基板２３をパーツセンタにオーダする。
【００３１】
なお、第２の障害事前予知部２６は、上記同様に、メンテナンス情報として障害発生を予知した箇所、ここでは不揮発性メモリ用バッテリ２５の交換の必要のある制御基板２３をメンテナンスするスケジュール、Ｘ線診断装置のユーザに対するメッセージ、不揮発性メモリ用バッテリ２５の障害発生の発生率、不揮発性メモリ用バッテリ２５のメンテナンスの緊急度、不揮発性メモリ用バッテリ２５の交換の必要のある制御基板２３のオーダ情報などをサービスセンタ１８のサービス端末１９に通知してもよい。
【００３２】
この後、スケジュールされた保守の日時に、不揮発性メモリ用バッテリ２５の交換の必要のある制御基板２３の不揮発性メモリ用バッテリ２５がサービスマンによって交換される。  
この結果、不揮発性メモリ用バッテリ２５の電圧値が例えば予め設定された仕様電圧値以下に下降し、不揮発性メモリ２４に対するＸ線撮影に関する制御情報の記憶及び読み出しができなくなる前に、事前に不揮発性メモリ用バッテリ２５の交換の必要のある制御基板２３の不揮発性メモリ用バッテリ２５が交換される。
【００３３】
このように上記一実施の形態によれば、一定の期間毎にディスクアレイ装置２０の各ディスク２１−２〜２１−ｎを巡回して障害の発生をチェックし、各ディスク２１−２〜２１−ｎに発生した障害が自動修復不可能であると判断すると、ディスクアレイ装置２０に本障害が発生する前に、各ディスク２１−２〜２１−ｎの障害予知情報を事前にサービスセンタ１８のサービス端末１９に通知する。これにより、ディスクアレイ装置２０の性能の劣化、或いはディスクアレイ装置２０の冗長性が無くなり、ディスクアレイ装置２０が継続して動作ができなくなるような本障害が発生する前に、事前にディスクアレイ装置２０における部品が交換でき、本障害の発生を未然に防止できる。
【００３４】
又、本Ｘ線診断装置は、一定の期間毎に各ディスク２１−２〜２１−ｎを巡回して障害の発生をチェックし、交換部品をパーツセンタにオーダするまでの期間、Ｘ線撮影の稼動を継続できる。これにより、本Ｘ線診断装置の稼動停止期間を短縮できる。
【００３５】
これと共に、不揮発性メモリ用バッテリ２５の電圧値を所定の期間毎に巡回してチェックし、バッテリ電圧値が異常であれば、障害予知情報として事前にサービスセンタ１８のサービス端末１９に通知する。これにより、不揮発性メモリ２４に対するＸ線撮影に関する制御情報、例えばシステム本体１０内の構成情報、高電圧制御部９の制御情報、機構制御部４の制御情報、Ｘ線検出部７の構成情報等の記憶及び読み出しができなくなる前に、事前に不揮発性メモリ用バッテリ２５の交換の必要のある制御基板２３の不揮発性メモリ用バッテリ２５の交換ができる。これにより、本Ｘ線診断装置の稼動停止期間を短縮できる。
【００３６】
不揮発性メモリ用バッテリ２５は、例えばリチウム電池が用いられる。このような不揮発性メモリ用バッテリ２５は、例えば寒冷地又は温暖地等の環境の違いによって電圧値の低下の速度が異なる。このため、不揮発性メモリ用バッテリ２５の交換時期が環境の違いによって異なる。このように不揮発性メモリ用バッテリ２５の交換時期が異なっても、この交換時期を確実にサービスセンタ１８に通知できる。
【００３７】
サービスマンによりメンテナンスするスケジュールは、サービスマンの保守可能な日時とＨＩＳ及びＲＩＳから取得される本Ｘ線診断装置の稼動しない日時とにより決定できるので、メンテナンスする日時が変更されることが殆ど無く、サービスマンの負担を軽減できる。
【００３８】
なお、本発明は、上記一実施の形態に限定されるものではなく、次のように変形してもよい。例えばＸ線診断装置のようにディスクアレイ装置２０及び不揮発性メモリ用バッテリ２５を使用する装置に適用可能である。
【図面の簡単な説明】
【００３９】
【図１】本発明に係るＸ線診断装置の一実施の形態を示す構成図。
【図２】同装置におけるディスクアレイ装置の構成図。
【図３】同装置における制御基板に接続された不揮発性メモリ用バッテリを示す図。
【図４】同装置における第１の障害事前予知フローチャート。
【図５】同装置における第２の障害事前予知フローチャート。
【符号の説明】
【００４０】
１：支持台、２：寝台、３：被検体、４：機構制御部、５：Ｃアーム、６：Ｘ線発生部、７：Ｘ線検出部、８：高電圧発生部、９：高電圧制御部、１０：システム本体、１１：画像演算・記憶部、１２：システム制御部、１３：Ｘ線画像用表示部、１４：ユーザインタフェース用表示部、１５：ハンドスイッチ、１６：スイッチホルダ、１７：ネットワーク、１８：サービスセンタ、１９：サービス端末、２０：ディスクアレイ装置、２１−１〜２１−ｎ：ディスク、２２：第１の障害事前予知部、２３：制御基板、２４：不揮発性メモリ、２５：不揮発性メモリ用バッテリ、２６：第２の障害事前予知部、２７：処理装置、２８：操作部、２９：ディスプレイ。
【図１】
0004828977.tif 000002
【図２】
0004828977.tif 000003
【図３】
0004828977.tif 000004
【図４】
0004828977.tif 000005
【図５】
0004828977.tif 000006